(57)【要約】      （修正有）【課題】釣り餌を着水後暫くまで釣り針からの脱落や雑魚による餌取から保護出来る様にした仕掛けを提供する。【解決手段】布状又はフイルム状の本体１１に幹糸の代わりとなる芯材１５と枝糸の代わりとなる芯材１３ａとを設け、芯材１３ａにハリス留め１４を固定し、釣り餌付きの釣り針２１をハリス留め１４に留め、本体を丸めて縦長の筒状にするとともに、丸めた本体を着水後暫くまで広がらないように纏めておく水溶性素材でできたボルトを挿入することでロックすることで、入水後暫くまでその内側に釣り針２１と釣り餌を包み込み、餌の脱落や雑魚による餌取を防ぐ。【選択図】図１ａ
2011234672.tif 000002
【特許請求の範囲】
【請求項１】
樹枝状の幹糸を布状又はフイルム状の本体内に持ち、その樹枝状の幹糸に繋がる複数のハリス止めを布状又はフイルム状の本体の両面のそれぞれの左側に或いはそれぞれの右側に持ち、かつ樹枝状の幹糸に繋がると共にロック装置に繋がり布状又はフイルム状の本体に縦方向（長手方向）に設けた糸状または紐状または細い棒状の引っ張りに強い芯材およびこの糸状または紐状または細い棒状の引っ張りに強い芯材に繋がりフイルム状の本体を広げる為の弾性を有し布状又はフイルム状の本体に横方向に設けた糸状または紐状または細い棒状の芯材を持つ構造であり、ひとつ以上のハリスと釣り針を付けることのできる投げ釣り等で使う釣り用仕掛け本体において、この釣り用仕掛け本体を断面形状がＳ字形等になるように縦長型にまるめて筒状にしてロックで一時固定することで釣り針が絡みにくく、入水後ロックを固定している水溶性ボルトが溶けてロックが解けるまで、或いは他の時限装置によりロックが解けるまで暫くの間その内側に釣り針と釣り餌を包み込むことで餌の脱落や雑魚による餌取を防ぐことが出来る釣り用仕掛け。
【請求項２】
請求項１の釣り用仕掛けで本体形状を若布のような海草などに模した、ルアー等の疑似餌や毛針等の擬餌針ではない、擬似海草仕掛け。
【発明の詳細な説明】
【技術分野】
【０００１】
本発明は、釣り用仕掛けに関するものである。
【背景技術】
【０００２】
従来、投げ釣りや磯釣りにおいては、柔らかい釣り餌が投げ始めや空中飛行中及び水面突入時において釣り針から脱落することがある為に、脱落し難い限定された釣り餌を使用せざるを得ず、かつ水面からの降下途中で雑魚に釣り餌を取られることも多いのが現状である。
【先行技術文献】
【特許文献】
【０００３】
【特許文献１】特開２００５−２７８６１８
【特許文献２】実用新案第３０５８３６８号
【発明の概要】
【発明が解決しようとする課題】
【０００４】
釣り餌を着水後暫くまで釣り針からの脱落や雑魚による餌取から保護出来る様に仕掛けを改善することを課題とする。
【課題を解決するための手段】
【０００５】
本発明の仕掛けは図１ａから図２ｄに見るように、幹糸の代わりとなる樹状の芯材１５を有する布状或いはフイルム状の軟質素材で出来た本体１１または１２を図４ａまたは図４ｂに見る様にまるめて縦長の筒状にして、それを一時的にロックすることで、入水後暫くまでその内側に釣り針２１と釣り餌を包み込み、餌の脱落や雑魚による餌取を防ぐ構造とすることにより問題点を解決している。
【発明の効果】
【０００６】
本発明によれば、釣り餌を着水後暫くまで釣り針からの脱落や雑魚による餌取から保護出来る仕掛けとなり、更に幹糸を隠そうと透明化したり目立たぬ色にしたり極力細くしたりするのではなく、仕掛け全体を海中浮遊物や海草等に模すことで、その近傍や陰に釣り餌が漂う様な、より自然に近い状況を作り出すことが出来て、新たな釣法として有用である。
【図面の簡単な説明】
【０００７】
【図１ａ】水溶性ボルト使用の直列配置の本体構成図
【図１ｂ】時限ボルト使用の直列配置の本体構成図
【図２ａ】水底に分岐して立つ状態の本体構成図
【図２ｂ】海草に模した水底に分岐して立つ状態の本体構成図
【図２ｃ】水底に分岐して横たわる状態の本体構成図
【図２ｄ】水面に分岐して浮く状態の本体構成図
【図３ａ】直列配置での本体の飛行中の状態
【図３ｂ】分岐配置での本体の飛行中の状態
【図３ｃ】分岐配置での海草に模した本体の飛行中の状態
【図４ａ】本体に釣り針や釣り餌を包み込んだ状態の断面図
【図４ｂ】海草等に模した本体に釣り針や釣り餌を包み込んだ状態の断面図
【図５】水溶解性ピンとロック
【図６ａ】時限ロック装置分解図
【図６ｂ】時限ロック装置施錠状態図
【図６ｃ】時限ロック装置解錠状態図
【図７】ハリス留め
【発明を実施するための形態】
【０００８】
まず、使用に当たってはハリス２２と釣り餌の付いた釣り針２１は本体内部の幹糸の代わりとなる樹状の芯材１５に固定された本体表面のハリス留め１４に留める。ただし図においては釣り餌を表示していない。
【０００９】
次に入水後暫くまで筒状態を維持するために、本体１１または１２を図４ａまたは図４ｂに見る様にまるめて縦長の筒状にして、本体１１または１２を補強しロックに繋がる芯材１３ａの所々に鍵の様な留め具を設けてロックする。
【００１０】
また、図２ｂの様に、本体を補強しロックに繋がる芯材１３ａの更に外側にも布状又はフイルム状の軟質素材を広げて出来る海草等に模した本体１２を巻止める場合は、一番外側のフィルム状軟質素材を図４ｂの様に釣り餌付きの釣り針２１と共に内側に巻き込んでからロックする。ただし図には釣り餌を表示していない。
【００１１】
本発明の仕掛けを巻いてロックした後に釣り竿で投げると図３ａから図３ｃに見るような状態で空中を飛行後に着水して水没するとロックが解除され、本体を補強しロックに繋がる芯材を展開させる為の弾性を有する芯材１３ｂにより図１ａから図２ｄの様に展開する事で餌の脱落や雑魚による餌取を防ぐ釣りができる。
【実施例１】
【００１２】
図１−１や図１−２と図２に見るように、この仕掛けには縦長のフイルム状の本体の長手方向の中心線上の内部に十分な引っ張り強度を持つ芯材で作られる幹糸部分を作り、この幹糸部分から更に、通常の仕掛けのハリスのように、幹糸部分と同じか同様な芯材で作られる枝糸部分を作ることで幹糸の代わりとなる樹状の芯材１５として、その先端の本体を補強しロックに繋がる芯材１３ａにハリス留めを設ける。
【００１３】
このハリス留めは、中心線の右側或いは左側のどちらかに縦一列に本体を補強しロックに繋がる芯材の上に並ぶように、フイルム状の本体の表と裏に設ける
【００１４】
また、この仕掛け全体を巻止めるためのロックのストライク相当部品３６ｐ及びストライクボックス相当部品３６ｑは先の中心線と平行にハリス留めの位置に設けた本体を補強しロックに繋がる芯材１３ａの上に1つ以上設ける。
【００１５】
更に、ロックのフロント相当部品３６ｎは先の中心線と平行にハリス留めの位置に設けた本体を補強しロックに繋がる芯材１３ａの更に外側に設けた本体を補強しロックに繋がる芯材１３ａの上に先のロックのストライク相当部品３６ｐ及びストライクボックス相当部品３６ｑと対応する位置に設ける。
【００１６】
即ち、縦に間を空けて並ぶ２つの環であるロックのストライク相当部品３６ｐとロックのストライクボックス相当部品３６ｑの間に別の１つの環であるロックのフロント相当部品３６ｎを挿入してなる構造のロックとする。
【００１７】
そして、そのロックの中心の穴にロックを固定する為の図５に見るような水溶性素材でできたボルト３６ｋを挿入してロックを留める構造とする。
【００１８】
尚、図２に見るように、本体を海草等に模したものにおいては最も外側に設けた本体を補強しロックに繋がる芯材１３ａの更に外側に布状又はフイルム状の軟質素材で出来た海草等に模した本体１２を延長拡大する部分を設けて海草等に模した形状とする。
【００１９】
フイルム状の本体を巻くには左右部分毎に釣り針を、海草などに模した場合はその最も外側の部分も内分に巻き込むようにしてロックする。
【００２０】
巻き込んだらロックに水溶性ピンを刺して固定することで釣り用仕掛けの投入準備が完了する。
【００２１】
釣り用仕掛けを水中に投入すると、ロックの水溶性素材でできたボルト３６ｋが解けてロックは解錠され図１ａから図２ｄの様に釣り用仕掛けが展開する。
【実施例２】
【００２２】
同様に、この釣り用仕掛けを図Ｎに見るような直列配列にする場合は水溶性素材でできたボルト３６ｋを用いるロックの代わりに図６ａに見る様な時限ロック用粘弾性管４７を用いた時限ロック装置４０を用いる事が出来る。
【００２３】
この場合は、図６ｂの下向きの矢印の方向に時限ロックのスイッチボルト４６ｇを押し込み時限ロックのボルト４６ｋを押し下げて時限ロック用粘弾性管４７が潰されることで時限ロックのストライク相当部品４８ｐと時限ロックのストライクボックス相当部品４８ｑの間に時限ロックのフロント相当部品４８ｎを固定してロックする。
【００２４】
この時、本体を補強しロックに繋がる芯材１３ａは本体を補強しロックに繋がる芯材に繋いだ、時限ロックのスイッチボルト抜け防止ストッパ４７ｊと時限ロックのスイッチボルト環頭を本体を補強しロックに繋がる芯材に繋ぐ環状部品４８ｔとの間で本体を補強しロックに繋がる芯材１３ａは撓んだ状態になる。
【００２５】
次に、図６ｃに見るように投入動作により幹糸の代わりとなる樹状の芯材１５に繋がる本体を補強しロックに繋がる芯材１３ａが引っ張られ、本体を補強しロックに繋がる芯材に繋ぐ環状部品４８ｔが時限ロックのスイッチボルト環頭４６ｈを上向きの矢印の方向に引き戻し、撓んだ状態の本体を補強しロックに繋がる芯材１３ａが伸びる事で時限ロック用粘弾性管４７が図６ｂの縮んだ状態から、着水後に釣り餌を守るに必要な時間をかけて伸びた元の状態に戻ることで、時限ロックのボルト４６ｋが押し戻され、本体を補強しロックに繋がる芯材を展開させる為の弾性を有する芯材１３ｂにより時限ロックのストライク相当部品４８ｐと時限ロックのストライクボックス相当部品４８ｑの間から横向きの矢印の方向に時限ロックのフロント相当部品４８ｎが離れてロックが解除され、図１ａから図２ｄの様に釣り用仕掛けが展開する。
【産業上の利用可能性】
【００２６】
以上説明した様に、本発明は釣り餌を着水後暫くまで釣り針からの脱落や雑魚による餌取から保護出来る釣り用仕掛けとして有用である。
【符号の説明】
【００２７】
１１    布状又はフイルム状の軟質素材で出来た本体
１２    布状又はフイルム状の軟質素材で出来た海草等に模した本体
１３ａ    本体を補強しロックに繋がる芯材
１３ｂ    本体を補強しロックに繋がる芯材を展開させる為の弾性を有する芯材
１４    本体を補強しロックに繋がる芯材に付けられたハリス留め
１５    幹糸の代わりとなる樹状の芯材
２１    釣り針
２２    ハリス
２３    道糸
２４ｃ    主たる重り
２４ｄ    小型の補助的重り
２４ｅ    主たる浮き
２４ｆ    小型の補助的浮き
２５    水面
３６ｋ    ロックの水溶性素材でできたボルト
３６ｎ    ３６ｐと３６ｑのストライク相当部品とストライクボックス相当部品の間に差し入れる形で使用する１つの環でなるロックのフロント相当部品
３６ｐ    縦に間を空けて並ぶ２つの環でなるロックのストライク相当部品
３６ｑ    縦に間を空けて並ぶ２つの環でなるロックのストライクボックス相当部品
４０    時限ロック装置
４６ｇ    時限ロックのスイッチボルト
４６ｈ    時限ロックのスイッチボルト環頭
４６ｉ    時限ロックの時限起動用スイッチボルトストッパ
４６ｊ    時限ロックのスイッチボルト抜け防止兼粘弾性管用ストッパ
４６ｋ    時限ロックのボルト
４６ｍ    時限ロックのボルトストッパ
４７    時限ロック用粘弾性管
４７ｉ    本体を補強しロックに繋がる芯材に繋いだ、時限ロックの時限起動用スイッチボルトストッパのケース
４７ｊ    本体を補強しロックに繋がる芯材に繋いだ、時限ロックのスイッチボルト抜け防止ストッパ
４８ｎ    時限ロックのフロント相当部品
４８ｐ    時限ロックのストライク相当部品
４８ｑ    時限ロックのストライクボックス相当部品
４８ｒ    時限ロックのスイッチボルト受け管形部品
４８ｓ    時限ロックのスイッチボルト抜け防止管形部品
４８ｔ    時限ロックのスイッチボルト環頭を本体を補強しロックに繋がる芯材に繋ぐ環状部品
【図１ａ】
2011234672.tif 000003
【図１ｂ】
2011234672.tif 000004
【図２ａ】
2011234672.tif 000005
【図２ｂ】
2011234672.tif 000006
【図２ｃ】
2011234672.tif 000007
【図２ｄ】
2011234672.tif 000008
【図３ａ】
2011234672.tif 000009
【図３ｂ】
2011234672.tif 000010
【図３ｃ】
2011234672.tif 000011
【図４ａ】
2011234672.tif 000012
【図４ｂ】
2011234672.tif 000013
【図５】
2011234672.tif 000014
【図６ａ】
2011234672.tif 000015
【図６ｂ】
2011234672.tif 000016
【図６ｃ】
2011234672.tif 000017
【図７】
2011234672.tif 000018
【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
釣りに用いる仕掛け本体を布状又はフイルム状として釣り針同士が絡みにくいように縦長型にまるめて筒状にした後に、着水後暫くまで広がらないように纏めておく為の時限解除機能のあるロックを用いて一時的に施錠することで釣り針が絡みにくく、着水後ロックが解けるまで暫くの間その内側に釣り針と釣り餌を包み込むことで餌の脱落や雑魚による餌取を防ぐことが出来る釣り用仕掛けである。
【請求項２】
請求項１における布状又はフイルム状の仕掛け本体に於ける以下の構造である。布状又はフイルム状の本体内に樹枝状の幹糸を持ち、その樹枝状の幹糸に繋がる複数のハリス留めを布状又はフイルム状の本体の両面のそれぞれの左側に或いはそれぞれの右側に持つ構造である。かつ樹枝状の幹糸に繋がると共に丸めた本体を着水後暫くまで広がらないように纏めておく時限解除機能のあるロックに繋がり、布状又はフイルム状の本体に縦方向（長手方向）に設けた糸状または紐状または細い棒状の引っ張りに強い芯材に繋がる布状又はフイルム状の本体に横方向に設け布状又はフイルム状の本体を広げる為の弾性を有した糸状または紐状または細い棒状の芯材を持つ構造である。
【請求項３】
請求項１及び請求項２に於ける、丸めた布状又はフイルム状の仕掛け本体を着水後暫くまで広がらないように纏めておく時限解除機能のある以下のロックである。着水後、閂構造のロックを固定している閂となる水溶性ボルトが時間をかけて徐々に溶けて解錠される構造のロック、或いは釣り竿での投入動作による張力によって閂となるボルトを施錠しているピンを外し、閂となるボルトにより押しつぶされていた粘弾性体が元の形に戻る事により閂となるボルトが時間をかけて徐々に押し戻されて、閂となるボルトが抜ける事により解錠されるロック。
【請求項４】
請求項１と請求項２と請求項３から成る釣り用仕掛けにおいて、ハリスを短くして貝を餌として付けた場合は貝が付着した板の様になり、本体形状を若布等のような海草に模した場合はハリスを少し長くして小エビや小動物が隠れている様に模すことが出来るものであり、ルアー等の疑似餌や毛針等の擬餌針ではなく、幹糸部分を含む仕掛けそのものを板や海草に似せた言わば擬似海草仕掛けである。
【手続補正２】
【補正対象書類名】明細書
【補正対象項目名】全文
【補正方法】変更
【補正の内容】
【発明の詳細な説明】
【技術分野】
【０００１】
本発明は、釣り用仕掛けに関するものである。
【背景技術】
【０００２】
従来、投げ釣りや磯釣りにおいては、柔らかい釣り餌が投げ始めや空中飛行中及び水面突入時において釣り針から脱落することがある為に、脱落し難い限定された釣り餌を使用せざるを得ず、かつ水面からの降下途中で雑魚に釣り餌を取られることも多いのが現状である。
【先行技術文献】
【特許文献】
【０００３】
【特許文献１】特開２００５−２７８６１８
【特許文献２】実用新案第３０５８３６８号
【発明の概要】
【発明が解決しようとする課題】
【０００４】
釣り餌を着水後暫くまで釣り針からの脱落や雑魚による餌取から保護出来る様に仕掛けを改善することを課題とする。
【課題を解決するための手段】
【０００５】
本発明の仕掛けは布状又はフイルム状の軟質素材で出来た本体１１をまるめて縦長の筒状にして、それを一時的に施錠することで、着水後暫くまでその内側に釣り針２１と釣り餌を包み込み、餌の脱落や雑魚による餌取を防ぐ構造とすることにより問題点を解決している。
【発明の効果】
【０００６】
本発明によれば、釣り餌を着水後暫くまで釣り針からの脱落や雑魚による餌取から保護出来る仕掛けとなり、更に幹糸を隠そうと透明化したり目立たぬ色にしたり極力細くしたりするのではなく、仕掛け全体を海中浮遊物や海草等に模すことで、その近傍や陰に釣り餌が漂う様な、より自然に近い状況を作り出すことが出来て、新たな釣法として有用である。
【図面の簡単な説明】
【０００７】
【図１ａ】水溶性ボルト使用の直列配置の本体構成図
【図１ｂ】時限ボルト使用の直列配置の本体構成図
【図２ａ】水底に分岐して立つ状態の本体構成図
【図２ｂ】海草に模した水底に分岐して立つ状態の本体構成図
【図２ｃ】水底に分岐して横たわる状態の本体構成図
【図２ｄ】水面に分岐して浮く状態の本体構成図
【図３ａ】直列配置での本体の飛行中の状態
【図３ｂ】分岐配置での本体の飛行中の状態
【図３ｃ】分岐配置での海草に模した本体の飛行中の状態
【図４ａ】本体に釣り針や釣り餌を包み込んだ状態の断面図
【図４ｂ】海草等に模した本体に釣り針や釣り餌を包み込んだ状態の断面図
【図５】水溶解性ピンとロック
【図６ａ】時限ロック装置分解図
【図６ｂ】時限ロック装置施錠状態図
【図６ｃ】時限ロック装置解錠状態図
【図７】ハリス留め
【発明を実施するための形態】
【０００８】
まず使用に当たって、布状又はフイルム状の軟質素材で出来た本体１１に複数のハリス２２を留める場合、ハリス２２と釣り餌の付いた釣り針２１は本体内部の幹糸の代わりとなり強度を高める為に用いる幹糸の代わりとなる樹状の芯材１５に固定された本体表面の本体を補強しロックに繋がる芯材に付けられたハリス留め１４に留める。ただし図においては釣り餌を表示していない。尚、ハリスの数が少ない場合や強度をあまり必要としない場合は幹糸の代わりとなる樹状の芯材１５は樹状でなくても良く、布状又はフイルム状の軟質素材で出来た本体１１のみで幹糸の代わりとなる樹状の芯材１５そのものが無くても良い。
【０００９】
次に着水後暫くまで筒状態を維持するために、本体１１または１２を図４ａまたは図４ｂに見る様にまるめて縦長の筒状にして、本体１１または１２を補強しロックに繋がる芯材１３ａの所々に錠の様な留め具を設けて施錠する。
【００１０】
また、図２ｂの様に、本体を補強しロックに繋がる芯材１３ａの更に外側にも布状又はフイルム状の軟質素材を広げて出来る海草等に模した本体１２を巻止める場合は、一番外側のフィルム状軟質素材を図４ｂの様に釣り餌付きの釣り針２１と共に内側に巻き込んでから施錠する。ただし図には釣り餌を表示していない。
【００１１】
本発明の仕掛けを巻いて施錠した後に釣り竿で投げると図３ａから図３ｃに見るような状態で空中を飛行後に着水して水没するとロックが解錠され、本体を補強しロックに繋がる芯材を展開させる為の弾性を有する芯材１３ｂにより図１ａから図２ｄの様に展開する事で餌の脱落や雑魚による餌取を防ぐ釣りができる。
【実施例１】
【００１２】
図１−１や図１−２と図２に見るように、この仕掛けには縦長の布状又はフイルム状の本体の長手方向の中心線上の内部に十分な引っ張り強度を持つ芯材で作られる幹糸部分を作り、この幹糸部分から更に、通常の仕掛けのハリスのように、幹糸部分と同じか同様な芯材で作られる枝糸部分を作ることで幹糸の代わりとなる樹状の芯材１５として、その先端の本体を補強しロックに繋がる芯材１３ａにハリス留めを設ける。
【００１３】
このハリス留めは、布状又はフイルム状の本体の長手方向の中心線の右側或いは左側のどちらかに縦一列に本体を補強しロックに繋がる芯材の上に並ぶように、フイルム状の本体の表と裏に設ける。
【００１４】
また、この仕掛け全体を巻止めるためのロックのストライク相当部品３６ｐ及びストライクボックス相当部品３６ｑは布状又はフイルム状の本体の長手方向の中心線と平行にハリス留めの位置に設けた本体を補強しロックに繋がる芯材１３ａの上に1つ以上設ける。
【００１５】
更に、ロックのフロント相当部品３６ｎは先の中心線と平行にハリス留めの位置に設けた本体を補強しロックに繋がる芯材１３ａの更に外側に設けた本体を補強しロックに繋がる芯材１３ａの上に先のロックのストライク相当部品３６ｐ及びストライクボックス相当部品３６ｑと対応する位置に設ける。
【００１６】
即ち、縦に間を空けて並ぶ２つの環であるロックのストライク相当部品３６ｐとロックのストライクボックス相当部品３６ｑの間に別の１つの環であるロックのフロント相当部品３６ｎを挿入してなる構造のロックとなる。
【００１７】
そして、そのロックの中心の穴にロックを固定する為の図５に見るような水溶性素材でできたボルト３６ｋを挿入してロックを施錠する構造とする。
【００１８】
尚、図２に見るように、本体を海草等に模したものにおいては最も外側に設けた本体を補強しロックに繋がる芯材１３ａの更に外側に布状又はフイルム状の軟質素材で出来た海草等に模した本体１２を延長拡大する部分を設けて海草等に模した形状とする。
【００１９】
布状又はフイルム状の本体を巻くには左右部分毎に釣り針を、海草などに模した場合はその最も外側の部分も内側に巻き込むようにして施錠する。
【００２０】
巻き込んだらロックに水溶性ピンを刺してロックを施錠することで釣り用仕掛けの投入準備が完了する。
【００２１】
釣り用仕掛けを水中に投入すると、ロックの水溶性素材でできたボルト３６ｋが溶けてロックは解錠され図１ａから図２ｄの様に釣り用仕掛けが展開する。
【実施例２】
【００２２】
同様に、この釣り用仕掛けを、図１ｂに見るような道糸がこの釣り用仕掛けの上部に繋がり主たる重り２４ｃがこの釣り用仕掛けの下部に繋がる、直列配列にする場合は水溶性素材でできたボルト３６ｋを用いるロックの代わりに図６ａに見る様な時限ロック用粘弾性管４７を用いた時限ロック装置４０を用いる事が出来る。
【００２３】
この場合は、図６ｂの下向きの矢印の方向に時限ロックのスイッチボルト４６ｇを押し込み、時限ロックのボルト４６ｋを押し下げて時限ロック用粘弾性管４７が潰されることで時限ロックのストライク相当部品４８ｐと時限ロックのストライクボックス相当部品４８ｑの間に時限ロックのフロント相当部品４８ｎを固定して施錠する。
【００２４】
この時、本体を補強しロックに繋がる芯材１３ａは本体を補強しロックに繋がる芯材に繋いだ、時限ロックのスイッチボルト抜け防止ストッパ４７ｊと時限ロックのスイッチボルト環頭を本体を補強しロックに繋がる芯材に繋ぐ環状部品４８ｔとの間で撓んだ状態になる。
【００２５】
次に、図６ｃに見るように投入動作により幹糸の代わりとなる樹状の芯材１５に繋がる本体を補強しロックに繋がる芯材１３ａが引っ張られ、本体を補強しロックに繋がる芯材に繋ぐ環状部品４８ｔが時限ロックのスイッチボルト環頭４６ｈを上向きの矢印の方向に引き戻し、撓んだ状態の本体を補強しロックに繋がる芯材１３ａが伸びる事で時限ロック用粘弾性管４７が図６ｂの縮んだ状態から、着水後に釣り餌を守るに必要な時間をかけて伸びた元の状態に戻ることで、時限ロックのボルト４６ｋが押し戻され、本体を補強しロックに繋がる芯材を展開させる為の弾性を有する芯材１３ｂにより時限ロックのストライク相当部品４８ｐと時限ロックのストライクボックス相当部品４８ｑの間から、図中の横向きの矢印の方向に時限ロックのフロント相当部品４８ｎが離れてロックが解錠され、図１ａから図２ｄの様に釣り用仕掛けが展開する。
【産業上の利用可能性】
【００２６】
以上説明した様に、本発明は釣り餌を着水後暫くまで釣り針からの脱落や雑魚による餌取から保護出来る釣り用仕掛けとして有用である。
【符号の説明】
【００２７】
１１    布状又はフイルム状の軟質素材で出来た本体
１２    布状又はフイルム状の軟質素材で出来た海草等に模した本体
１３ａ    本体を補強しロックに繋がる芯材
１３ｂ    本体を補強しロックに繋がる芯材を展開させる為の弾性を有する芯材
１４    本体を補強しロックに繋がる芯材に付けられたハリス留め
１５    幹糸の代わりとなる樹状の芯材
２１    釣り針
２２    ハリス
２３    道糸
２４ｃ    主たる重り
２４ｄ    小型の補助的重り
２４ｅ    主たる浮き
２４ｆ    小型の補助的浮き
２５    水面
３６ｋ    ロックの水溶性素材でできたボルト
３６ｎ    ３６ｐと３６ｑのストライク相当部品とストライクボックス相当部品の間に差し入れる形で使用する１つの環でなるロックのフロント相当部品
３６ｐ    縦に間を空けて並ぶ２つの環でなるロックのストライク相当部品
３６ｑ    縦に間を空けて並ぶ２つの環でなるロックのストライクボックス相当部品
４０    時限ロック装置
４６ｇ    時限ロックのスイッチボルト
４６ｈ    時限ロックのスイッチボルト環頭
４６ｉ    時限ロックの時限起動用スイッチボルトストッパ
４６ｊ    時限ロックのスイッチボルト抜け防止兼粘弾性管用ストッパ
４６ｋ    時限ロックのボルト
４６ｍ    時限ロックのボルトストッパ
４７    時限ロック用粘弾性管
４７ｉ    本体を補強しロックに繋がる芯材に繋いだ、時限ロックの時限起動用スイッチボルトストッパのケース
４７ｊ    本体を補強しロックに繋がる芯材に繋いだ、時限ロックのスイッチボルト抜け防止ストッパ
４８ｎ    時限ロックのフロント相当部品
４８ｐ    時限ロックのストライク相当部品
４８ｑ    時限ロックのストライクボックス相当部品
４８ｒ    時限ロックのスイッチボルト受け管形部品
４８ｓ    時限ロックのスイッチボルト抜け防止管形部品
４８ｔ    時限ロックのスイッチボルト環頭を本体を補強しロックに繋がる芯材に繋ぐ環状部品
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
樹枝状の幹糸を布状又はフイルム状の本体内に持ち、その樹枝状の幹糸に繋がる複数のハリス留めを布状又はフイルム状の本体の両面のそれぞれの左側に或いはそれぞれの右側に持ち、かつ樹枝状の幹糸に繋がると共にロック装置に繋がる布状又はフイルム状の本体に縦方向（長手方向）に設けた芯材、およびこの芯材に繋がりフイルム状の本体を広げる為の弾性を有する糸状または紐状または細い棒状の芯材を持つ構造を有するひとつ以上のハリスと釣り針を付けることのできる投げ釣り等で使う釣り用仕掛け本体において、前記ロック装置は、丸めた布状又はフイルム状の仕掛け本体を着水後暫くまで広がらないように纏めておく時限解除機能のあるロックであって、着水後、閂構造のロックを固定している閂となる水溶性ボルトが時間をかけて徐々に溶けて解錠される構造のロック、或いは釣り竿での投入動作による張力によって閂となるボルトを施錠しているピンを外し、閂となるボルトにより押しつぶされていた粘弾性体が元の形に戻る事により閂となるボルトが時間をかけて徐々に押し戻されて、閂となるボルトが抜ける事により解錠されるロックであることを特徴とする釣り用仕掛け。
【請求項２】
請求項１の本体を布状又はフイルム状として釣り針同士が絡みにくいように縦長型にまるめて筒状にして内側に釣り針と釣り餌を包み込み、かつ着水後暫くまで広がらないことで餌の脱落や雑魚による餌取を防ぐことが出来る釣り用仕掛けにおいて、本体形状を単純なシート形状だけではなく若布等のような海草に模して小エビや小動物が隠れている様に模すことが出来るものであり、ルアー等の疑似餌や毛針等の擬餌針ではなく、幹糸部分を含む仕掛けそのものを板や海草に似せた言わば擬似海草仕掛けである釣り用仕掛け。
【手続補正書】
【提出日】平成23年1月24日(2011.1.24)
【手続補正１】
【補正対象書類名】特許請求の範囲
【補正対象項目名】請求項２
【補正方法】変更
【補正の内容】
【請求項２】
請求項１に記載の釣り用仕掛けにおいて、布状又はフイルム状の本体をまるめて縦長の筒状にして内側に釣り針と釣り餌を包み込み、本体形状を海草に模して小エビや小動物が隠れている様に模すことが出来るものであり、幹糸部分を含む仕掛けそのものを海草に似せた擬似海草仕掛けである釣り用仕掛け。